(57)【要約】      （修正有）【課題】均一で効果的な吸湿機能を持つとともに、十分に吸湿した後で周囲の側辺の隅から漏れることが防止される吸湿性防漏パッドを提供する。【解決手段】積層構造として組み合わされる表面液透過層、液吸収層及び防漏下地層を備える吸湿性防漏パッドであって、積層構造の周囲の縁部に設けられる横漏れ防止構造をさらに備え、横漏れ防止構造のサイズが防漏パッドの１／２より小さい。【選択図】図１
0003229393.tif 000002
【実用新案登録請求の範囲】
【請求項１】
積層構造として組み合わされる表面液透過層、液吸収層及び防漏下地層を備える吸湿性防漏パッドにおいて、積層構造の周囲の縁部に設けられる横漏れ防止構造をさらに備え、前記横漏れ防止構造のサイズが前記防漏パッドの１／２より小さいことを特徴とする吸湿性防漏パッド。
【請求項２】
前記液吸収層は、長さと幅が表面液透過層及び防漏下地層より小さいことを特徴とする請求項１に記載の吸湿性防漏パッド。
【請求項３】
前記横漏れ防止構造は、前記積層構造の縁部が少なくとも２回折りして固定されてなるものであることを特徴とする請求項１に記載の吸湿性防漏パッド。
【請求項４】
前記横漏れ防止構造は、前記積層構造の縁部が少なくとも１回折りして固定されてなるものであることを特徴とする請求項２に記載の吸湿性防漏パッド。
【請求項５】
前記横漏れ防止構造は、収縮可能な構成であることを特徴とする請求項１に記載の吸湿性防漏パッド。
【請求項６】
前記収縮構成は、弾性バンド付きの構成であることを特徴とする請求項５に記載の吸湿性防漏パッド。
【請求項７】
前記横漏れ防止構造は、防漏下地層と同じ材料からなり、その外側部分が前記積層構造の周囲の縁部の表面に接着されることを特徴とする請求項１に記載の吸湿性防漏パッド。
【請求項８】
前記横漏れ防止構造は、前記積層構造の周囲の縁部の一方側又は複数の側に設けられることを特徴とする請求項３又は４に記載の吸湿性防漏パッド。
【請求項９】
前記横漏れ防止構造は、前記積層構造の周囲の縁部の一方側又は複数の側に設けられることを特徴とする請求項５に記載の吸湿性防漏パッド。
【請求項１０】
前記液吸収層は、混合木材パルプ吸着層と不織布中間層との組み合わせであることを特徴とする請求項１に記載の吸湿性防漏パッド。
【考案の詳細な説明】
【技術分野】
【０００１】
本考案は、衛生介護用品に関し、特に吸湿機能を持つ防漏パッドに関する。
【背景技術】
【０００２】
社会の発展に伴い、人々の生活水準はますます高くなり、健康的な生活に対する意識も高まり、生活の質に対する要求もますます高くなっているため、衛生介護用品への需要はますます急務となっている。現在、既に多くの衛生介護用品が市販されているが、代表的な衛生介護用品として、女性や高齢者、さらにはペットまで普及している介護用パッドが挙げられる。しかし、現在市販されているパッドはいずれも、ある程度の吸湿後に漏れてしまうという問題がある。分析によって、介護用パッドにおける吸湿用の材料の吸湿能力が不十分で、その吸湿の飽和状態に達しやすいことと、介護用パッドの側辺に対する処理が不適当であるので、介護用パッドが一定の吸湿量に達すると、周囲の縁部からの漏れが発生することが原因であると考えられる。従って、吸湿材料への適切な選択及びその側辺への適切な処理は、従来の吸湿介護用パッドの研究方向になっている。
【考案の概要】
【０００３】
本考案は、上記の問題を解決するために、側辺に防漏構造を備える吸湿性パッドを提案している。
【０００４】
本考案では、上記問題を解決するための技術手段として、積層構造として組み合わされる表面液透過層、液吸収層及び防漏下地層を備える吸湿性防漏パッドにおいて、積層構造の周囲の縁部に設けられる横漏れ防止構造をさらに備え、上記横漏れ防止構造のサイズが上記防漏パッドの１／２より小さい吸湿性防漏パッドである。上記液吸収層は、長さと幅が表面液透過層及び防漏下地層より小さい。上記横漏れ防止構造は、上記積層構造の縁部が少なくとも２回折りして固定されてなるものである。上記横漏れ防止構造は、上記積層構造の縁部が少なくとも１回折りして固定されてなるものである。上記横漏れ防止構造は、収縮可能な構成である。上記収縮構成は、弾性バンド付きの構成である。上記横漏れ防止構造は、防漏下地層と同じ材料からなり、その外側部分が上記積層構造の周囲の縁部の表面に接着される。上記横漏れ防止構造は、上記積層構造の周囲の縁部の一方側又は複数の側に設けられる。上記横漏れ防止構造は、上記積層構造の周囲の縁部の一方側又は複数の側に設けられる。上記液吸収層は、混合木材パルプ吸着層と不織布中間層との組み合わせである。
【０００５】
本考案に係る吸湿性防漏パッドによれば、以下のような有利な効果をもたらす。即ち、まず、機械的熱間プレスで構成層を組み合わせることにより、吸湿後に固まりやすいことを効果的に防止でき、また、その内部の構成をより均一にして、その吸湿の能力を向上させるので、構成が不均一であるという原因で、一部は十分に吸収したが、他の一部が十分に吸収しないという問題を回避でき、その一方、本考案に係る吸湿性防漏パッドの積層構造の縁部に設けられる横漏れ防止構造により、隅におけるバリが皮膚を擦って傷つける刺すことを回避できるので、アレルギーから皮膚を保護する役割を果たすと同時に、その横漏れ防止構造の設計により、十分に吸湿してから隅の圧着箇所から漏れることを効果的に解決できる。
【図面の簡単な説明】
【０００６】
【図１】本考案の構成を模式的に示す図である。
【考案を実施するための形態】
【０００７】
以下、本考案に係る実施例における図面を参照して、本考案に係る実施例での技術手段を詳細且つ完全に説明する。もちろん、説明する実施例は、全ての実施例ではなく、ただ本考案に係る一部の実施例に過ぎない。本考案に係る実施例によると、当業者により創造的労働を行わずに得られる他の実施例はすべて本考案の保護範囲に収まる。
【実施例１】
【０００８】
図１（ａ）に示すように、本考案に開示される吸湿性防漏パッドは、不織布表層である表面液透過層と、混合木材パルプ吸着層と不織布中間層との組合せである液吸収層と、ＰＥフィルムである防漏下地層と、を備える。また、不織布表層が混合木材パルプ吸着層と接続し、混合木材パルプ吸着層が不織布中間層の上を覆い、ＰＥフィルムが不織布中間層の下に位置するように、機械的熱間プレスにより、それらを積層構造として組み合わせる。吸湿性防漏パッドは、さらに、積層構造の周囲の縁部に設けられる横漏れ防止構造を備える。当該横漏れ防止構造は、サイズがその吸湿性防漏パッドの１／３であり、且つ、積層構造が縁部に沿って内側へ２回折りし、折り部の外側部分が積層構造の外面に接着又はキルト縫いで固定されるように構成されてもよい。
【実施例２】
【０００９】
図１（ｂ）と（ｃ）に示すように、本考案に係る吸湿性防漏パッドは、不織布表層である表面液透過層と、混合木材パルプ吸着層と不織布中間層との組合せである液吸収層と、ＰＥフィルムである防漏下地層と、を備える。不織布表層が混合木材パルプ吸着層と接続し、混合木材パルプ吸着層が不織布中間層の上を覆い、ＰＥフィルムが不織布中間層の下に位置するように、機械的熱間プレスにより、それらを積層構造として組み合わせる。上記の混合木材パルプ吸着層と不織布中間層は、長さと幅が不織布表層とＰＥフィルムより小さい。当該吸湿性防漏パッドは、さらに、積層構造の周囲の縁部に設けられる横漏れ防止構造を備える。当該横漏れ防止構造は、その積層構造の縁部を５ｃｍで覆うサイズを有する。当該横漏れ防止構造は、積層構造が縁部に沿って内側へ１回又は２回折りし、折り部の外側部分が積層構造の外面に接着されるように構成される。
【実施例３】
【００１０】
本考案に係る吸湿性防漏パッドは、不織布表層である表面液透過層と、混合木材パルプ吸着層と不織布中間層との組合せである液吸収層と、ＰＥフィルムである防漏下地層と、を備える。不織布表層が混合木材パルプ吸着層と接続し、混合木材パルプ吸着層が不織布中間層の上を覆い、ＰＥフィルムが不織布中間層の下に位置するように、機械的熱間プレスにより、それらを積層構造として組み合わせる。当該吸湿性防漏パッドは、さらに、積層構造の周囲の縁部に設けられる横漏れ防止構造を備える。当該横漏れ防止構造は、サイズがその吸湿性防漏パッドの１／４であり、且つ、構成材料がＰＥフィルムであり、その詳細な構成は、当該ＰＥフィルムの外側部分が積層構造の周囲の縁部の表面に固定されるようになる。
【００１１】
上記の混合木材パルプ吸着層と不織布中間層は、サイズが不織布表層とＰＥフィルムより小さいことが好ましい。
【実施例４】
【００１２】
本考案に係る吸湿性防漏パッドは、本体の構成が実施例３に記載された構成と同一であるが、その横漏れ防止構造のサイズが当該吸湿性防漏パッドの１／５であり、その横漏れ防止構造における一方側に、外側部分が積層構造の縁部の表面に固定されるように、ＰＥフィルムが形成されるが、他の三つの側に、積層構造が縁部に沿って内側へ１回折りし、折り部の外側部分が積層構造の外面に固定されるようになる。
【００１３】
当該横漏れ防止構造の他の構成は、任意の両側に、外側部分が積層構造の縁部の表面に固定されるように、ＰＥフィルムが形成されるが、他の両側に、積層構造が縁部に沿って内側へ１回折りし、折り部の外側部分が積層構造の外面に固定されるようになる。
【００１４】
当該横漏れ防止構造のさらなる他の構成は、三つの側に、外側部分が積層構造の縁部の表面に固定されるように、ＰＥフィルムが形成されるが、残りの一方側に、積層構造が縁部に沿って内側へ１回折りし、折り部の外側部分が積層構造の外面に固定されるようになる。
【００１５】
上記の混合木材パルプ吸着層と不織布中間層は、長さと幅が不織布表層とＰＥフィルムより小さいことが好ましい。
【実施例５】
【００１６】
図１（ｄ）に示すように、本考案に係る吸湿性防漏パッドは、本体の構成が実施例３に記載された構成と同一であるが、その横漏れ防止構造のサイズが、当該吸湿性防漏パッドの１／５であり、且つ、その横漏れ防止構成が収縮可能な構成である。
【００１７】
上記収縮構成は、弾性バンド付き収縮構成であることが好ましい。
【００１８】
上記の混合木材パルプ吸着層と不織布中間層は、長さと幅が不織布表層とＰＥフィルムより小さいことが好ましい。
【００１９】
このような収縮機能付き横漏れ防止構造は、側辺の積層構造の分解を効果的に防止し、積層構造の縁部を補強することができるとともに、介護用パッドの周囲に立設することにより、周囲の縁部からの液漏れをより防止することができる。
【００２０】
上記によると、本考案に係る吸湿性防漏パッドは、好適な吸湿機能を持つと同時に、その横漏れ防止構造の設計により、吸湿後の横漏れも効果的に解決することができる。上記の混合木材パルプ吸着層と不織布中間層は、長さと幅が不織布表層とＰＥフィルムより小さいので、吸湿した部分がその側辺の隅に到達せず、さらに、その横漏れ防止構造の設計により、横漏れ防止構造の効果をより最適化するようになる。
【図１】
0003229393.tif 000003
【手続補正書】
【提出日】令和2年9月17日(2020.9.17)
【手続補正１】
【補正対象書類名】実用新案登録請求の範囲
【補正対象項目名】全文
【補正方法】変更
【補正の内容】
【実用新案登録請求の範囲】
【請求項１】
積層構造として組み合わされる表面液透過層、液吸収層及び防漏下地層を備える吸湿性防漏パッドにおいて、
積層構造の周囲の縁部に設けられる横漏れ防止構造をさらに備え、
前記横漏れ防止構造の幅方向の長さが前記防漏パッドの幅方向の全長の１／２より小さいことを特徴とする吸湿性防漏パッド。
【請求項２】
前記液吸収層は、長さと幅が表面液透過層及び防漏下地層より小さいことを特徴とする請求項１に記載の吸湿性防漏パッド。
【請求項３】
前記横漏れ防止構造は、前記積層構造の縁部が少なくとも２回折りして固定されてなるものであることを特徴とする請求項１に記載の吸湿性防漏パッド。
【請求項４】
前記横漏れ防止構造は、前記積層構造の縁部が少なくとも１回折りして固定されてなるものであることを特徴とする請求項２に記載の吸湿性防漏パッド。
【請求項５】
前記横漏れ防止構造は、収縮可能な部材からなることを特徴とする請求項１に記載の吸湿性防漏パッド。
【請求項６】
前記横漏れ防止構造は、防漏下地層と同じ材料からなり、外側部分が前記積層構造の周囲の縁部の表面に接着されることを特徴とする請求項１に記載の吸湿性防漏パッド。
【請求項７】
前記横漏れ防止構造は、前記積層構造の周囲の縁部の一方側又は複数の側に設けられることを特徴とする請求項３又は４に記載の吸湿性防漏パッド。
【請求項８】
前記横漏れ防止構造は、前記積層構造の周囲の縁部の一方側又は複数の側に設けられることを特徴とする請求項５に記載の吸湿性防漏パッド。
【請求項９】
前記液吸収層は、混合木材パルプ吸着層と不織布中間層との組み合わせであることを特徴とする請求項１に記載の吸湿性防漏パッド。